(57)【特許請求の範囲】
【請求項１】
少なくとも２つの分冊を含み、該分冊同士を合冊した書籍において、
隣接して合冊されている該２つの分冊の背表紙同士は、該背表紙の端部において連接しており、該背表紙は、該連接している部分に遊び部を有し、該遊び部にミシン目が設けられ、該ミシン目に沿って該２つの分冊の背表紙同士を分離することによって、該２つの分冊を分冊することが可能であり、隣接して合冊されている前記２つの分冊のうちの一方の分冊の裏表紙と、該２つの分冊のうちの他方の分冊の表表紙とは背表紙を介さずに隣接しており、該裏表紙と該表表紙とは少なくとも一部において連接しており、前記２つの分冊を分冊するときは、該連接している部分も切断することを特徴とする書籍。
【請求項２】
少なくとも２つの分冊を含み、該分冊同士を合冊した書籍において、
隣接して合冊されている該２つの分冊の背表紙同士は、該背表紙の端部において連接しており、該背表紙は、該連接している部分において遊び部を有し、該遊び部を切断することにより前記２つの分冊を分冊することが可能であり、隣接して合冊されている前記２つの分冊のうちの一方の分冊の裏表紙と、該２つの分冊のうちの他方の分冊の表表紙とは背表紙を介さずに隣接しており、該裏表紙と該表表紙とは少なくとも一部において連接しており、前記２つの分冊を分冊するときは、該連接している部分も切断することを特徴とする書籍。
【請求項３】
少なくとも２つの分冊を含み、該分冊同士を合冊した書籍において、
隣接して合冊されている該２つの分冊のうちの一方の分冊の裏表紙と、該２つの分冊のうちの他方の分冊の表表紙とは隣接しており、該裏表紙と該表表紙とは少なくとも一部において背表紙を介さずに連接しており、該連接している部分を切断することにより前記２つの分冊を分冊することが可能であることを特徴とする書籍。
【請求項４】
請求項３に記載の書籍において、前記裏表紙と前記表表紙の対向している面同士は少なくとも該対向面の一部において、分離可能なように接合していることを特徴とする書籍。
【請求項５】
請求項３または４に記載の書籍において、前記裏表紙と前記表表紙が連接している部分にミシン目を設け、前記２つの分冊を分冊するときは、該ミシン目に沿って該２つの分冊の裏表紙と表表紙を分離することを特徴とする書籍。
【請求項６】
少なくとも２つの分冊を含み、該分冊同士を合冊した書籍において、
隣接して合冊されている該２つの分冊のうちの一方の分冊の裏表紙と、該２つの分冊のうちの他方の分冊の表表紙とは隣接しており、該裏表紙と該表表紙の対向している面同士は少なくとも該対向面の一部において、背表紙を介さずに分離可能なように接合していることを特徴とする書籍。
【請求項７】
請求項１から６までのいずれかに記載の書籍において、該書籍は取扱説明書であることを特徴とする書籍。
【発明の詳細な説明】
【０００１】
【発明の属する技術分野】
本発明は、分冊可能な書籍に関するものである。
【０００２】
【従来の技術】
書籍、例えば、一般の人々が使用する電気製品や機械製品などの取り扱いを説明するための取扱説明書には、分冊可能なものがある。分冊可能なものにする理由としては、例えば、以下のような場合がある。
【０００３】
取扱説明書の場合、製品によっては、言語が異なる地域向けに、例えば「英語、仏語、独語、スペイン語、オランダ語」の取扱説明書が必要である。１冊の取扱説明書中に、これらの５カ国語によって製品の説明を記載すると、厚い取扱説明書となり、電気製品等のユーザにとって取り扱いが不便となる。
【０００４】
一方、各国語別に、５冊の取扱説明書を作成すると、電気製品等を製作するメーカにとって、取扱説明書を作成する負担が重くなる。また、５冊の取扱説明書を保管／輸送等する必要があり、５冊全部が揃っているかどうかの員数確認等の取扱説明書の管理が、メーカにとって煩雑である。
【０００５】
そこで、従来から複数の分冊を分冊可能なように１冊に合冊することが行われている。合冊する方法として、例えば特開平７−３０９０８５号公報、実開平  ７−１２２５４号公報、特開平９−２２０８８０号公報および特開平５−３３０２７５号公報に記載された方法がある。
【０００６】
特開平７−３０９０８５号公報に記載された方法では、本冊に第１別冊と第２別冊とを綴じ込んで１冊の本とするために、第１および第２別冊の背表紙外側の複数箇所を、接着剤を用いて本冊の背表紙内側に接着する。分冊の際は、別冊を引っ張って本冊から分離する。このように、接着された部分のみを分離するため、分冊は容易である。この方法と同等な方法は、実開平  ７−１２２５４号公報や特開平９−２２０８８０号公報にも開示されている。
【０００７】
また、前記特開平７−３０９０８５号公報は、別の分冊方法として、本の上下方向の中央部に、水平方向に走る切取線を全頁について設け、この切取線に沿って本を切り離して分冊する方法も開示している。
【０００８】
さらに、特開平５−３３０２７５号公報は、別冊を本冊に合冊するために、本冊の見返しと別冊とを針金で中綴じした後に、当該中綴じした物の折り山を本冊に接着することを提案している。この公報に記載された方法のポイントは、針金で中綴じする位置を、前記折り山から  ２ｍｍ程度ずらすことである。この結果、針金が接着されることがない。分冊する際は、針金が本冊の見返しを部分的に破るように分冊を引っ張って、本冊の見返しから、針金とともに別冊を分離する。
【０００９】
【発明が解決しようとする課題】
特開平７−３０９０８５号公報に記載されている、本冊に別冊を接着する方法の場合、本冊の背表紙と別冊とが容易に取り外しができるため、分冊しないで使用したいときでも、使用中に使用者の意に反して分冊されてしまうという問題がある。
【００１０】
実開平  ７−１２２５４号公報や特開平９−２２０８８０号公報に開示されている方法においても、分冊の容易性を主として考慮しており、特開平７−３０９０８５号公報と同様な問題を有する。すなわち、分冊する場合は、糊付けされた部分を取り外すため、分冊は容易であるが、分冊しないで使いたい場合でも、容易に分冊されてしまう。
【００１１】
また、特開平７−３０９０８５号公報に記載されている、切取線を用いて分冊する方法の場合、使用者が分冊する際に、全頁を切り離す必要があり、使用者の負担が大きいという問題がある。
【００１２】
さらに、特開平５−３３０２７５号公報に記載されている方法の場合、分冊が複数あるときに、どのように合冊をするかが不明であるが、分冊が複数あるときは、製本時の合冊手順や、使用者による分冊手順が複雑化し、合冊や分冊が困難になると思われる。
【００１３】
本発明はこのような従来技術の欠点を解消し、分冊作業が容易であり、かつ分冊をしないで使用しても勝手に分冊することが少ない書籍を提供することを目的とする。
【００１４】
【課題を解決するための手段】
本発明は上述の課題を解決するために、少なくとも２つの分冊を含み、この分冊同士を合冊した書籍において、隣接して合冊されている当該２つの分冊の背表紙同士を連結し、かつ当該２つの分冊の背表紙の間にミシン目を設け、当該ミシン目に沿って２つの分冊の背表紙同士を分離することによって、２つの分冊を分冊することが可能であるようにする。
【００１５】
他の方法として、少なくとも２つの分冊を含み、この分冊同士を合冊した書籍において、隣接して合冊されている２つの分冊の背表紙同士を連接させ、かつ背表紙に、２つの分冊の間において遊び部を設け、遊び部を切断することにより２つの分冊を分冊することを可能としてもよい。
【００１６】
また、少なくとも２つの分冊を含み、分冊同士を合冊した書籍において、隣接して合冊されている２つの分冊のうちの一方の分冊の裏表紙と、２つの分冊のうちの他方の分冊の表表紙とを隣接させ、裏表紙と表表紙とを少なくとも一部において連接させ、連接している部分を切断することにより２つの分冊を分冊することを可能としてもよい。
【００１７】
なお、少なくとも２つの分冊を含み、分冊同士を合冊した書籍において、隣接して合冊されている２つの分冊のうちの一方の分冊の裏表紙と、２つの分冊のうちの他方の分冊の表表紙とを隣接させ、裏表紙と表表紙の対向している面同士を少なくとも対向面の一部において、分離可能なように接合させてもよい。
【００１８】
【発明の実施の形態】
次に添付図面を参照して本発明による書籍の実施例を詳細に説明する。
【００１９】
図１は、本発明に係わる取扱説明書の第１の実施例を示す。図１の取扱説明書１では、分冊するために、背表紙を切断して切り離す。そして、切り離す部分に工夫をして、簡単に切り離せるとともに、故意に切り離さない限り、簡単には切り離せないようにしている。なお、背表紙全体が連結されている必要はなく、背表紙の一部が連結されているだけでもよい。
【００２０】
この取扱説明書１は、第１分冊３、第２分冊５、第３分冊７の３分冊を１冊に合冊した書籍である。第１分冊３は表表紙３ａと、裏表紙３ｂと、背表紙９を有し、第１分冊３に隣接する第２分冊５は表表紙５ａと、裏表紙５ｂと、背表紙１１を有し、第２分冊５に隣接する第３分冊７は表表紙７ａと、裏表紙７ｂと、背表紙１３を有する。表表紙３ａ，５ａ，７ａには、各分冊を識別するために必要な所定の事項が印刷してある。例えば、各国語による分冊のタイトル（「−−装置取扱説明書」）が記載されている。
【００２１】
背表紙９と背表紙１１と背表紙１３は、１枚の紙から製作されており、背表紙９と背表紙１１との間には、縦方向にミシン目１５があり、背表紙１１と背表紙１３との間にもミシン目１７がある。ミシン目は、故意に力を加えなければ、破れない程度の強度を有する。
【００２２】
取扱説明書１は以下のように制作する。第１分冊３の表表紙３ａと第３分冊７の裏表紙７ｂと背表紙９，１１，１３  とを１枚の紙（以下では「本体表紙」と呼ぶ）に、所定の事項を印刷する。本体表紙に用いる紙には、所定の位置にあらかじめミシン目１５，１７  を設けておく。取扱説明書１のうち、これ以外の部分（以下では「本体」と呼ぶ）を別途印刷して、丁合いおよび、所定のサイズへの切断を行う。本体の背中に接着剤を塗布した後に、印刷済みの本体表紙を張り付ける。製本はバインダー（無線綴じ機）を用いることが好ましい。
【００２３】
取扱説明書１の使用時に、取扱説明書１の使用者が分冊を希望しないときは、合冊された状態で取扱説明書１を使用することができる。分冊を希望するときは、希望する分冊の仕方に応じて、ミシン目１５，１７  に沿って背表紙１５，１７  を分離する。その結果、第１分冊９のみを分冊する、もしくは第３分冊１３のみを分冊する、もしくは第１，第２，第３分冊９，１１，１３  の３分冊に分冊するという３通りの分冊方法が可能である。
【００２４】
第１の実施例においては、背表紙にミシン目があるため、分冊作業が容易であり、かつ分冊をしないで使用しても勝手に分冊することが少ない。
【００２５】
なお、図１においては、裏表紙３ｂと表表紙５ａとの間、および裏表紙５ｂと表表紙７ａとの間に隙間があり、表紙同士を離して図示している。しかし、表紙同士の間の隙間は必要に応じて、設けることも、設けないこともできる。
【００２６】
図２は、本発明に係わる取扱説明書の第２の実施例を示す。本実施例においては、背表紙は、前記２つの分冊の間において、遊び部（たるみ）を有することを特徴とする。なお、図２の取扱説明書２１は、遊び部にミシン目３５，３７  を有するが、遊び部のミシン目はなくてもよい。ミシン目がない場合に、分冊するときはハサミ等で縦方向に背表紙を切断する。
【００２７】
取扱説明書２１は、第１分冊２３、第２分冊２５、第３分冊２７の３分冊を１冊に合冊した書籍である。第１分冊２３は表表紙２３ａ  と、裏表紙２３ｂ  と、背表紙２９を有し、第１分冊２３に隣接する第２分冊２５は表表紙２５ａ  と、裏表紙２５ｂ  と、背表紙３１を有し、第２分冊２５に隣接する第３分冊２７は表表紙２７ａ  と、裏表紙２７ｂ  と、背表紙３３を有する。表表紙２３ａ，２５ａ，２７ａ  には、各分冊を識別するために必要な所定の事項が印刷してある。
【００２８】
背表紙２９と背表紙３１との間には、たるみ３５があり、背表紙３１と背表紙３３との間には、たるみ３７がある。たるみ３５，３７  の中央部にミシン目２５，２７  が、縦方向に設けられている。なお、図２においては、ミシン目２５，２７  は、たるみ３５，３７  の中央部にあるが、中央部以外の位置にミシン目を設けてもよい。例えば、たるみ３５，３７  の端部に縦方向にミシン目を設けてもよい。
【００２９】
また、図２においてはミシン目は、各たるみ当たり１本であるが、１本に限らず、複数個設けてもよい。例えば、１つのたるみ３５の両端部に縦方向に、各一本ずつ計２本のミシン目を設けてもよい。この場合、余分なたるみを除去することができるため、分冊後の外観がきれいになる。なお、図２においては、遊び部は、湾曲した形状のたるみであるが、遊び部の形状は平面でもよい。
【００３０】
第２の実施例においては、遊び部があるため、分冊作業が容易であり、かつ分冊をしないで使用しても勝手に分冊することが少ない。また、遊び部があるために、分冊のために切断すべき場所を容易に識別することができる。また、背表紙を切断する際に、切断作業が容易である。さらに、合冊された状態の取扱説明書が厚い場合、分冊しないで使用するときでも、説明書を開くことが容易である。
【００３１】
図３は、本発明に係わる取扱説明書の第３の実施例を示す。本実施例においては、隣接して合冊されている２つの分冊のうちの一方の分冊の裏表紙と、他方の分冊の表表紙とは隣接しており、裏表紙と表表紙は、その一部において連接している。図３においては、連接箇所として特に、表紙の前小口側の端部のみを採用し、この部分が接着されている。なお、連接箇所は、端部全体にわたる場合に限られず、端部の一部でもよい。さらに、連接箇所として他の端部を利用してもよい。
【００３２】
なお、図３において端部を連接しないで、その代わりに裏表紙と表表紙の対向している面同士を対向面の一部もしくは全面において、分離可能なように接合してもよい。これについては後述する。
【００３３】
図３の取扱説明書４１は、第１分冊４３、第２分冊４５、第３分冊４７の３分冊を１冊に合冊した書籍である。第１分冊４３は表表紙４３ａ  と、裏表紙４３ｂ  と、背表紙４９を有し、第１分冊４３に隣接する第２分冊４５は表表紙４５ａ  と、裏表紙４５ｂ  と、背表紙５１を有し、第２分冊４５に隣接する第３分冊４７は表表紙４７ａ  と、裏表紙４７ｂ  と、背表紙５３を有する。表表紙４３ａ，４５ａ，４７ａ  には、各分冊を識別するために必要な所定の事項が印刷してある。
【００３４】
背表紙４９、背表紙５１、背表紙５３は互いに連結していない。第１分冊４３、第２分冊４５、第３分冊４７は互いに、表紙の前小口側の端部においてのみ連結している。分冊するときは、ハサミ等を用いて、連結している部分を縦方向に切断する。
【００３５】
第３の実施例のように、分冊同士が見開き部分において連接されていると、分冊予定の部分がはっきりと分かり、また、表表紙と裏表紙とを切り離す際にも切り離し作業が容易である。また、分冊しないで使用するとき、合冊されている取扱説明書が厚くても説明書を開くことが容易である。
【００３６】
なお、図３において、背表紙４９と背表紙５１との間、および背表紙５１と背表紙５３との間を図１のように連接して、縦方向にミシン目を設けることとしてもよい。分冊するときは、背表紙をミシン目に沿って切断する。
【００３７】
また、図３において、背表紙４９と背表紙５１との間、および背表紙５１と背表紙５３との間に図２のように遊び部を設けてもよい。さらに、この遊び部にミシン目を設けてもよい。
【００３８】
連接方法としては、図３に示す接着方法以外に、次のような方法もある。１枚の紙の中央部を折り目として２つ折りする。折り目を前小口側に配置して、合冊（製本）を行う。この２つ折りした紙のそれぞれを裏表紙および表表紙とする。分冊する際は、折り目に沿って裏表紙と表表紙をハサミ等により切り離す。
【００３９】
なお、この１枚の紙の中央部にミシン目を設け、このミシン目を折り目として２つ折りしてもよい。折り目（ミシン目）を前小口側に配置して、合冊（製本）を行う。分冊する際は、ミシン目に沿って裏表紙と表表紙を切り離す。
【００４０】
次に、裏表紙４３ｂ  と表表紙４５ａ  、および裏表紙４５ｂ  と表表紙４７ａ  を対向面の少なくとも一部において、剥離可能なように接着する第４の実施例について説明する。接着場所は、例えば前小口側の端部であり、この場所を、剥離可能な接着方法を用いて、縦方向に接着する。なお、裏表紙４３ｂ  と表表紙４５ａ  、および裏表紙４５ｂ  と表表紙４７ａ  の対向する面の全面を接着してもよい。
【００４１】
剥離可能に端部同士もしくは、対向面の一部もしくは全面を接着して、表紙同士を接合する方法としては、例えば隠蔽葉書等で用いられている接着方法を利用することができる。
【００４２】
この接着方法では例えば、通常の条件では接着することがなく、圧力や熱等を加えたときにのみ接着可能な接着剤を用いる。感圧性の剥離可能な接着剤としては、天然ゴムラテックス系や合成ゴムラテックス系の従来から使われている接着剤に、剥離強度を調整する合成シリカ等を加えたものを用いることができる。
【００４３】
剥離可能な別の接着方法としては、接着抑制印刷を行う方法も可能である。この方法では、接着される表紙に接着剤を塗布した後に、当該接着剤の上に多数の網点等を、印刷インキ（好ましくは透明な印刷インキ）を用いて印刷する。その後、表紙同士を加圧もしくは加熱して接着する。網点等を印刷する理由は、接着剤の間に接着力の弱い（もしくは接着力のない）印刷インキを介在させて接着力を弱めるためである。網点等を印刷した領域と、網点が印刷されていない領域の面積比を変えることにより、接着力を調整することができる。
【００４４】
第４の実施例のように表紙の対向面を接着すると、分冊同士が見開き部分において連接されているため、分冊予定の部分がはっきりと分かる。また、分冊しないで使用するとき、合冊されている取扱説明書が厚くても説明書を開くことが容易である。
【００４５】
なお、第４の実施例において、背表紙と背表紙との間を図１のように連接して、縦方向にミシン目を設けることとしてもよい。分冊するときは、背表紙をミシン目に沿って切断する。
【００４６】
また、第４の実施例において、背表紙と背表紙との間に図２のように遊び部を設けてもよい。この遊び部にミシン目を設けてもよい。さらに、図３のように、裏表紙と表表紙とを連接してもよい。
【００４７】
以上、書籍が取扱説明書であるとして実施例を説明したが、本発明は、取扱説明書以外の本や雑誌にももちろん適用することができる。さらに、書籍とノート、またはノートとノートを本発明に従って合冊してもよい。
【００４８】
また、以上の実施例では、３冊の分冊を１冊に合冊する場合について説明したが、分冊の冊数は、２以上であれば、何冊であっても本発明を適用することができる。
【００４９】
【発明の効果】
このように本発明によれば、電気製品等の取扱説明書を作成する電気メーカー等は、取扱説明書を印刷および管理する際に、１種類の取扱説明書のみを管理するだけでよい。また、電気製品等のユーザーは、取扱説明書を使用する場合に、ユーザーの判断により合冊して使うときも、分冊して使うときも容易に取扱説明書を使うことができる。例えば、合冊された状態で使う場合、背表紙に「ミシン目」もしくは「たるみ」があるため、取扱説明書を開きやすい。
【図面の簡単な説明】
【図１】本発明に係わる書籍の第１の実施例を示す説明図である。
【図２】本発明に係わる書籍の第２の実施例を示す説明図である。
【図３】本発明に係わる書籍の第３の実施例を示す説明図である。
【符号の説明】
１，２１，４１      取扱説明書
３，２３，４３      第１分冊
３ａ，５ａ，７ａ    表表紙
３ｂ，５ｂ，７ｂ    裏表紙
５，２５，４５      第２分冊
７，２７，４７      第３分冊
９，１１，１３，２９，３１，３３，４９，５１，５３      背表紙
１５，１７，２５，２７      ミシン目
３５，３７        たるみ
【図１】
0003574343.tif 000002
【図２】
0003574343.tif 000003
【図３】
0003574343.tif 000004